(57)【要約】      （修正有）【課題】折れ防止メガネを提供する。【解決手段】左右対称的に設置されているリム１１を含み、リム１１の中にはレンズ１２が固定的に設置され、リム１１の間には第一折れ防止装置が設置され、リム１１のうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置が始動すると第二折れ防止装置を連動させて始動させ、瞬時同期反応を実現でき、メガネを有効的に守ることができる。【選択図】図１
2020173413.tif 000002
【特許請求の範囲】
【請求項１】
左右対称的に設置されているリムを含み、前記リムの中にはレンズが固定的に設置され、前記リムの間には第一折れ防止装置が設置され、前記リムのうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置は前記リムのうち互いに近接している一端に固定的に設置されている反転ブロックを含み、前記反転ブロックの間には中間ブロックが設置され、前記中間ブロックの中には上方へ開口したスライドロッドチャンバが設置され、前記スライドロッドチャンバの中にはスライドロッドがスライドできるように設置され、前記スライドロッドチャンバの下側にはロックチャンバが連通するように設置され、前記スライドロッドの下端が前記ロックチャンバの中まで伸びて且つ前記スライドロッドの下端の左右の両端面の中にはラックが設置され、前記スライドロッドの左右両側には前記ラックと噛み合うことができるギヤが設置され、前記ギヤが前記ロックチャンバの前後側内壁の間に回転できるように連結され、前記ギヤの前端には反転ロッドが固定的に連結され、前記反転ロッドのうち中心から離れている一端と前記ロックチャンバの内壁の間には反転バネが固定的に連結され、前記ロックチャンバの下側には下方へ開口した開口チャンバが連通するように設置され、前記開口チャンバの中にはロックブロックがスライドできるように設置され、前記スライドロッドの下端には前記ロックブロックの上端と当接している頂圧バネが固定的に連結され、前記ロックブロックの左右両端面の中には開口が反対になる引っ掛かり溝が対称的に設置され、前記反転ロッドの下端には前記引っ掛かり溝の中までスライドできる引っ掛かりブロックが固定的に連結され、前記ロックブロックの下端が外部空間まで伸びて且つ前記ロックブロックの下端には折れ防止ロッドが固定的に設置され、前記折れ防止ロッドが前記リムの反転を防止でき、同時に荷重が大きすぎると切り離れ、前記リムが反転でき、新しい前記折れ防止ロッドを替えると本装置を回復させることができることを特徴とする折れ防止メガネ。
【請求項２】
前記反転ブロックのうち前記中間ブロック近接している一端には開口が相対している反転チャンバが前後に貫通するように設置され、前記中間ブロックの左右両側には前記反転チャンバの上下壁と回転できるように連結されている固定ブロックが対称的に固定的に設置され、前記固定ブロックの中には回転ロッドが上下に貫通するように固定的に設置され、前記反転チャンバの上側には糸巻きチャンバが設置され、前記回転ロッドの上端が前記糸巻きチャンバの中まで伸びて且つ前記回転ロッドの上端には引き糸が巻き掛けられ、前記反転ブロックの下端面の中には下方へ開口した引っ掛かりロッドチャンバが設置され、前記折れ防止ロッドの左右両端には前記引っ掛かりロッドチャンバの内壁とスライドできるように連結されている引っ掛かりロッドが対称的に固定的に設置され、前記引き糸は前記反転ブロックが反転する時に前記第二折れ防止装置を起動することを特徴とする請求項１に記載の折れ防止メガネ。
【請求項３】
前記リムのうち中心から離れている一端にはＬ型ブロックが固定的に設置され、前記糸巻きチャンバのうち中心から離れている側には前記リムと前記Ｌ型ブロックとを通す第一連通糸孔が連通するように設置され、前記Ｌ型ブロックの後端にはコンロッドが反転できるように設置され、前記コンロッドの中には前記第一連通糸孔と対応して後方へ開口した第二連通糸孔が設置され、前記引き糸は前記第一連通糸孔と前記第二連通糸孔とを通して前記第二折れ防止装置と連結しており、前記テンプルが前記コンロッドの後端に回転できるように連結され、普段は前記コンロッドと前記Ｌ型ブロックの反転により折畳って置くことができ、力を受けて折り畳む時に前記テンプルと前記コンロッドの反転により折れを防止することを特徴とする請求項１に記載の折れ防止メガネ。
【請求項４】
前記第二折れ防止装置は前記第二連通糸孔の上下両側の後端に対称的に且つ連通するように設置されて開口が反対になるスライダチャンバを含み、前記第二連通糸孔の中には上下両端が前記スライダチャンバを通しているスライダがスライドできるように設置され、前記スライダの後端と前記第二連通糸孔の後壁との間には引っ張りバネが固定的に連結され、前記コンロッドと前記テンプルの外側にはそれぞれ折れ防止リングがスライドできるように設置され、前記スライダが前記折れ防止リングの内環壁に固定的に連結され、前記折れ防止リングは前記テンプルの外側に被せられて前記テンプルの反転を防止し、普段の使用に影響を与えることを防止することを特徴とする請求項１に記載の折れ防止メガネ。
【発明の詳細な説明】
【技術分野】
【０００１】
本発明はメガネ技術分野を取り上げて、具体的には折れ防止メガネである。
【背景技術】
【０００２】
メガネは生活の中で、特に運動する時に事故が起きて衝撃を受け、時にはメガネを外してポケットまたは目が立たないところに置き、突然事故が起きてメガネがいくつかの部分に折れて壊れ、メガネの一番折れやすい部分はブリッジとテンプルという二つのところであり、そのため、折れ防止メガネが必要であり、本装置はブリッジとテンプルのところに反転できる方法を用い、部品で固定を行い、曲がりすぎると置き換える部品の壊れを利用してメガネの壊れを代え、同時に修理に便利である。
【先行技術文献】
【特許文献】
【０００３】
【特許文献１】中国特許出願公開第１０９４０７３３８号明細書
【発明の概要】
【発明が解決しようとする課題】
【０００４】
本発明は折れ防止メガネを提供し、従来技術における上記欠点を解消することを目的とする。
【課題を解決するための手段】
【０００５】
本発明の折れ防止メガネは：左右対称的に設置されているリムを含み、前記リムの中にはレンズが固定的に設置され、前記リムの間には第一折れ防止装置が設置され、前記リムのうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置は前記リムのうち互いに近接している一端に固定的に設置されている反転ブロックを含み、前記反転ブロックの間には中間ブロックが設置され、前記中間ブロックの中には上方へ開口したスライドロッドチャンバが設置され、前記スライドロッドチャンバの中にはスライドロッドがスライドできるように設置され、前記スライドロッドチャンバの下側にはロックチャンバが連通するように設置され、前記スライドロッドの下端が前記ロックチャンバの中まで伸びて且つ前記スライドロッドの下端の左右の両端面の中にはラックが設置され、前記スライドロッドの左右両側には前記ラックと噛み合うことができるギヤが設置され、前記ギヤが前記ロックチャンバの前後側内壁の間に回転できるように連結され、前記ギヤの前端には反転ロッドが固定的に連結され、前記反転ロッドのうち中心から離れている一端と前記ロックチャンバの内壁の間には反転バネが固定的に連結され、前記ロックチャンバの下側には下方へ開口した開口チャンバが連通するように設置され、前記開口チャンバの中にはロックブロックがスライドできるように設置され、前記スライドロッドの下端には前記ロックブロックの上端と当接している頂圧バネが固定的に連結され、前記ロックブロックの左右両端面の中には開口が反対になる引っ掛かり溝が対称的に設置され、前記反転ロッドの下端には前記引っ掛かり溝の中までスライドできる引っ掛かりブロックが固定的に連結され、前記ロックブロックの下端が外部空間まで伸びて且つ前記ロックブロックの下端には折れ防止ロッドが固定的に設置され、前記折れ防止ロッドが前記リムの反転を防止でき、同時に荷重が大きすぎると切り離れ、前記リムが反転でき、新しい前記折れ防止ロッドを替えると本装置を回復させることができる。
【０００６】
更のプランとしては、前記反転ブロックのうち前記中間ブロック近接している一端には開口が相対している反転チャンバが前後に貫通するように設置され、前記中間ブロックの左右両側には前記反転チャンバの上下壁と回転できるように連結されている固定ブロックが対称的に固定的に設置され、前記固定ブロックの中には回転ロッドが上下に貫通するように固定的に設置され、前記反転チャンバの上側には糸巻きチャンバが設置され、前記回転ロッドの上端が前記糸巻きチャンバの中まで伸びて且つ前記回転ロッドの上端には引き糸が巻き掛けられ、前記反転ブロックの下端面の中には下方へ開口した引っ掛かりロッドチャンバが設置され、前記折れ防止ロッドの左右両端には前記引っ掛かりロッドチャンバの内壁とスライドできるように連結されている引っ掛かりロッドが対称的に固定的に設置され、前記引き糸は前記反転ブロックが反転する時に前記第二折れ防止装置を始動する。
【０００７】
更のプランとしては、前記リムのうち中心から離れている一端にはＬ型ブロックが固定的に設置され、前記糸巻きチャンバのうち中心から離れている側には前記リムと前記Ｌ型ブロックとを通す第一連通糸孔が連通するように設置され、前記Ｌ型ブロックの後端にはコンロッドが反転できるように設置され、前記コンロッドの中には前記第一連通糸孔と対応して後方へ開口した第二連通糸孔が設置され、前記引き糸は前記第一連通糸孔と前記第二連通糸孔とを通して前記第二折れ防止装置と連結しており、前記テンプルが前記コンロッドの後端に回転できるように連結され、普段は前記コンロッドと前記Ｌ型ブロックの反転により折畳って置くことができ、力を受けて折り畳む時に前記テンプルと前記コンロッドの反転により折れを防止する。
【０００８】
更のプランとしては、前記第二折れ防止装置は前記第二連通糸孔の上下両側の後端に対称的に且つ連通するように設置されて開口が反対になるスライダチャンバを含み、前記第二連通糸孔の中には上下両端が前記スライダチャンバを通しているスライダがスライドできるように設置され、前記スライダの後端と前記第二連通糸孔の後壁との間には引っ張りバネが固定的に連結され、前記コンロッドと前記テンプルの外側にはそれぞれ折れ防止リングがスライドできるように設置され、前記スライダが前記折れ防止リングの内環壁に固定的に連結され、前記折れ防止リングは前記テンプルの外側に被せられて前記テンプルの反転を防止し、普段の使用に影響を与えることを防止する。
【発明の効果】
【０００９】
本発明の有益的な効果は：本発明は構造が簡単で、操作が便利であり、本装置によりメガネが曲げ力を受ける時に部品の壊れを通じてメガネの壊れを代えることができ、また修理が簡単で、便利である。
【図面の簡単な説明】
【００１０】
【図１】図１は本発明の折れ防止メガネの内部の全体構成模式図
【図２】図２は図１の「Ａ」の拡大模式図
【図３】図３は図１の「Ｂ〜Ｂ」の構成模式図
【図４】図４は図３の「Ｃ〜Ｃ」の構成模式図
【図５】図５は図３の「Ｄ」の拡大模式図
【発明を実施するための形態】
【００１１】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜５を参照し、本発明の折れ防止メガネは：左右対称的に設置されているリム１１を含み、前記リム１１の中にはレンズ１２が固定的に設置され、前記リム１１の間には第一折れ防止装置１０１が設置され、前記リム１１のうち中心から離れている側には第二折れ防止装置１０２が設置され、前記第一折れ防止装置１０１はブリッジが曲がり過ぎた後折れてしまうことを防止でき、前記第二折れ防止装置１０２はテンプル１３が曲がり過ぎた後折れてしまうことを防止でき、これによりフレームの壊れを防止し、前記第一折れ防止装置１０１は前記リム１１のうち互いに近接している一端に固定的に設置されている反転ブロック１４を含み、前記反転ブロック１４の間には中間ブロック１５が設置され、前記中間ブロック１５の中には上方へ開口したスライドロッドチャンバ１６が設置され、前記スライドロッドチャンバ１６の中にはスライドロッド１７がスライドできるように設置され、前記スライドロッドチャンバ１６の下側にはロックチャンバ１８が連通するように設置され、前記スライドロッド１７の下端が前記ロックチャンバ１８の中まで伸びて且つ前記スライドロッド１７の下端の左右の両端面の中にはラック１９が設置され、前記スライドロッド１７の左右両側には前記ラック１９と噛み合うことができるギヤ２０が設置され、前記ギヤ２０が前記ロックチャンバ１８の前後側内壁の間に回転できるように連結され、前記ギヤ２０の前端には反転ロッド２１が固定的に連結され、前記反転ロッド２１のうち中心から離れている一端と前記ロックチャンバ１８の内壁の間には反転バネ２２が固定的に連結され、前記ロックチャンバ１８の下側には下方へ開口した開口チャンバ２４が連通するように設置され、前記開口チャンバ２４の中にはロックブロック２５がスライドできるように設置され、前記スライドロッド１７の下端には前記ロックブロック２５の上端と当接している頂圧バネ２３が固定的に連結され、前記ロックブロック２５の左右両端面の中には開口が反対になる引っ掛かり溝２６が対称的に設置され、前記反転ロッド２１の下端には前記引っ掛かり溝２６の中までスライドできる引っ掛かりブロック２７が固定的に連結され、前記ロックブロック２５の下端が外部空間まで伸びて且つ前記ロックブロック２５の下端には折れ防止ロッド３３が固定的に設置され、前記折れ防止ロッド３３が前記リム１１の反転を防止でき、同時に荷重が大きすぎると切り離れ、前記リム１１が反転でき、新しい前記折れ防止ロッド３３を替えると本装置を回復させることができる。
【００１３】
有益的には、前記反転ブロック１４のうち前記中間ブロック１５近接している一端には開口が相対している反転チャンバ２８が前後に貫通するように設置され、前記中間ブロック１５の左右両側には前記反転チャンバ２８の上下壁と回転できるように連結されている固定ブロック２９が対称的に固定的に設置され、前記固定ブロック２９の中には回転ロッド３０が上下に貫通するように固定的に設置され、前記反転チャンバ２８の上側には糸巻きチャンバ３１が設置され、前記回転ロッド３０の上端が前記糸巻きチャンバ３１の中まで伸びて且つ前記回転ロッド３０の上端には引き糸３２が巻き掛けられ、前記反転ブロック１４の下端面の中には下方へ開口した引っ掛かりロッドチャンバ３４が設置され、前記折れ防止ロッド３３の左右両端には前記引っ掛かりロッドチャンバ３４の内壁とスライドできるように連結されている引っ掛かりロッド３５が対称的に固定的に設置され、前記引き糸３２は前記反転ブロック１４が反転する時に前記第二折れ防止装置１０２を起動する。
【００１４】
有益的には、前記リム１１のうち中心から離れている一端にはＬ型ブロック３６が固定的に設置され、前記糸巻きチャンバ３１のうち中心から離れている側には前記リム１１と前記Ｌ型ブロック３６とを通す第一連通糸孔３７が連通するように設置され、前記Ｌ型ブロック３６の後端にはコンロッド３８が反転できるように設置され、前記コンロッド３８の中には前記第一連通糸孔３７と対応して後方へ開口した第二連通糸孔３９が設置され、前記引き糸３２は前記第一連通糸孔３７と前記第二連通糸孔３９とを通して前記第二折れ防止装置１０２と連結しており、前記テンプル１３が前記コンロッド３８の後端に回転できるように連結され、普段は前記コンロッド３８と前記Ｌ型ブロック３６の反転により折畳って置くことができ、力を受けて折り畳む時に前記テンプル１３と前記コンロッド３８の反転により折れを防止する。
【００１５】
有益的には、前記第二折れ防止装置１０２は前記第二連通糸孔３９の上下両側の後端に対称的に且つ連通するように設置されて開口が反対になるスライダチャンバ４０を含み、前記第二連通糸孔３９の中には上下両端が前記スライダチャンバ４０を通しているスライダ４１がスライドできるように設置され、前記スライダ４１の後端と前記第二連通糸孔３９の後壁との間には引っ張りバネ４２が固定的に連結され、前記コンロッド３８と前記テンプル１３の外側にはそれぞれ折れ防止リング４３がスライドできるように設置され、前記スライダ４１が前記折れ防止リング４３の内環壁に固定的に連結され、前記折れ防止リング４３は前記テンプル１３の外側に被せられて前記テンプル１３の反転を防止し、普段の使用に影響を与えることを防止する。
【００１６】
初期状態において、反転ブロック１４と中間ブロック１５とは同じ直線に位置しており、折れ防止リング４３の後端はテンプル１３の外側に被せられている。
【００１７】
メガネは力を受けて曲がる時、折れ防止ロッド３３が力を受けて曲げ力を超えるまで曲がった後折れてしまい、反転ブロック１４と中間ブロック１５とが反転し、この時固定ブロック２９が回転ロッド３０を連動させて回転させて且つ引き糸３２を引き締め、引き糸３２はスライダ４１を前方へ引き動かして且つ前記折れ防止リング４３を連動させて前方へ移動させ、この時折れ防止リング４３はテンプル１３の外側から滑り出し、テンプル１３が曲げ力を受けると折り畳むことができ、修理するとき、針形物によりスライドロッドチャンバ１６の中に入ってスライドロッド１７を下方へ押し、ラック１９とギヤ２０とが噛み合ってからギヤ２０を連動させて回転させて且つ反転ロッド２１の下端を中心から離れている方向へ連動させて反転させ、この時引っ掛かりブロック２７は引っ掛かり溝２６から反転し出し、ロックブロック２５と折れた折れ防止ロッド３３とは頂圧バネ２３により弾きだされ、同時に引っ掛かりロッドチャンバ３４の中に残っている引っ掛かりロッド３５を取り出し、反転ブロック１４と中間ブロック１５とを初期状態に反転させて、新しい折れ防止ロッド３３を取り出し、ロックブロック２５を開口チャンバ２４に合わせて且つロックし、引っ掛かりロッド３５を引っ掛かりロッドチャンバ３４に合わせて反転ブロック１４を固定させる。
【００１８】
本発明の有益的な効果は：本発明は構造が簡単で、操作が便利であり、本装置によりメガネが曲げ力を受ける時に部品の壊れを通じてメガネの壊れを代えることができ、また修理が簡単で、便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020173413.tif 000003
【図２】
2020173413.tif 000004
【図３】
2020173413.tif 000005
【図４】
2020173413.tif 000006
【図５】
2020173413.tif 000007
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
左右対称的に設置されているリムを含み、前記リムの中にはレンズが固定的に設置され、前記リムの間には第一折れ防止装置が設置され、前記リムのうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置は前記リムのうち互いに近接している一端に固定的に設置されている反転ブロックを含み、前記反転ブロックの間には中間ブロックが設置され、前記中間ブロックの中には上方へ開口したスライドロッドチャンバが設置され、前記スライドロッドチャンバの中にはスライドロッドがスライドできるように設置され、前記スライドロッドチャンバの下側にはロックチャンバが連通するように設置され、前記スライドロッドの下端が前記ロックチャンバの中まで伸びて且つ前記スライドロッドの下端の左右の両端面の中にはラックが設置され、前記スライドロッドの左右両側には前記ラックと噛み合うことができるギヤが設置され、前記ギヤが前記ロックチャンバの前後側内壁の間に回転できるように連結され、前記ギヤの前端には反転ロッドが固定的に連結され、前記反転ロッドの左右両側面のうち中心から離れている側面と前記ロックチャンバの左右内壁の間には反転バネが固定的に連結され、前記ロックチャンバの下側には下方へ開口した開口チャンバが連通するように設置され、前記開口チャンバの中にはロックブロックがスライドできるように設置され、前記スライドロッドの下端には前記ロックブロックの上端と当接している頂圧バネが固定的に連結され、前記ロックブロックの左右両端面の中には開口が反対になる引っ掛かり溝が対称的に設置され、前記反転ロッドの下端には前記引っ掛かり溝の中までスライドできる引っ掛かりブロックが固定的に連結され、前記ロックブロックの下端が外部空間まで伸びて且つ前記ロックブロックの下端には折れ防止ロッドが固定的に設置されていることを特徴とする折れ防止メガネ。
【請求項２】
前記反転ブロックのうち前記中間ブロックに近接している一端には開口が相対している反転チャンバが前後に貫通するように設置され、前記中間ブロックの左右両側には前記反転チャンバの上下壁と回転できるように連結されている固定ブロックが対称的に固定的に設置され、前記固定ブロックの中には回転ロッドが上下に貫通するように固定的に設置され、前記反転チャンバの上側には糸巻きチャンバが設置され、前記回転ロッドの上端が前記糸巻きチャンバの中まで伸びて且つ前記回転ロッドの上端には引き糸が巻き掛けられ、前記反転ブロックの下端面の中には下方へ開口した引っ掛かりロッドチャンバが設置され、前記折れ防止ロッドの左右両端には前記引っ掛かりロッドチャンバの内壁とスライドできるように連結されている引っ掛かりロッドが対称的に固定的に設置されていることを特徴とする請求項１に記載の折れ防止メガネ。
【請求項３】
前記リムのうち中心から離れている一端にはＬ型ブロックが固定的に設置され、前記糸巻きチャンバのうち中心から離れている側には前記リムと前記Ｌ型ブロックとを通す第一連通糸孔が連通するように設置され、前記Ｌ型ブロックの後端にはコンロッドが反転できるように設置され、前記コンロッドの中には前記第一連通糸孔と対応して後方へ開口した第二連通糸孔が設置され、前記引き糸は前記第一連通糸孔と前記第二連通糸孔とを通して前記第二折れ防止装置と連結しており、前記テンプルが前記コンロッドの後端に回転できるように連結されていることを特徴とする請求項２に記載の折れ防止メガネ。
【請求項４】
前記第二折れ防止装置は前記第二連通糸孔の上下両側の後端に対称的に且つ連通するように設置されて開口が反対になるスライダチャンバを含み、前記第二連通糸孔の中には上下両端が前記スライダチャンバを通しているスライダがスライドできるように設置され、前記スライダが前記引き糸と固定的に連結され、前記スライダの後端と前記第二連通糸孔の後壁との間には引っ張りバネが固定的に連結され、前記コンロッドと前記テンプルの外側にはそれぞれ折れ防止リングがスライドできるように設置され、前記スライダが前記折れ防止リングの内環壁に固定的に連結され、前記折れ防止リングは前記テンプルの外側に被せられて前記テンプルの反転を防止し、普段の使用に影響を与えることを防止することを特徴とする請求項３に記載の折れ防止メガネ。
【手続補正２】
【補正対象書類名】明細書
【補正対象項目名】全文
【補正方法】変更
【補正の内容】
【発明の詳細な説明】
【技術分野】
【０００１】
本発明はメガネ技術分野を取り上げて、具体的には折れ防止メガネである。
【背景技術】
【０００２】
メガネは生活の中で、特に運動する時に事故が起きて衝撃を受け、時にはメガネを外してポケットまたは目が立たないところに置き、突然事故が起きてメガネがいくつかの部分に折れて壊れ、メガネの一番折れやすい部分はブリッジとテンプルという二つのところであり、そのため、折れ防止メガネが必要であり、本装置はブリッジとテンプルのところに反転できる方法を用い、部品で固定を行い、曲がりすぎると置き換える部品の壊れを利用してメガネの壊れを代え、同時に修理に便利である。
【先行技術文献】
【特許文献】
【０００３】
【特許文献１】中国特許出願公開第１０９４０７３３８号明細書
【発明の概要】
【発明が解決しようとする課題】
【０００４】
本発明は折れ防止メガネを提供し、従来技術における上記欠点を解消することを目的とする。
【課題を解決するための手段】
【０００５】
本発明の折れ防止メガネは：左右対称的に設置されているリムを含み、前記リムの中にはレンズが固定的に設置され、前記リムの間には第一折れ防止装置が設置され、前記リムのうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置は前記リムのうち互いに近接している一端に固定的に設置されている反転ブロックを含み、前記反転ブロックの間には中間ブロックが設置され、前記中間ブロックの中には上方へ開口したスライドロッドチャンバが設置され、前記スライドロッドチャンバの中にはスライドロッドがスライドできるように設置され、前記スライドロッドチャンバの下側にはロックチャンバが連通するように設置され、前記スライドロッドの下端が前記ロックチャンバの中まで伸びて且つ前記スライドロッドの下端の左右の両端面の中にはラックが設置され、前記スライドロッドの左右両側には前記ラックと噛み合うことができるギヤが設置され、前記ギヤが前記ロックチャンバの前後側内壁の間に回転できるように連結され、前記ギヤの前端には反転ロッドが固定的に連結され、前記反転ロッドの左右両側面のうち中心から離れている側面と前記ロックチャンバの左右内壁の間には反転バネが固定的に連結され、前記ロックチャンバの下側には下方へ開口した開口チャンバが連通するように設置され、前記開口チャンバの中にはロックブロックがスライドできるように設置され、前記スライドロッドの下端には前記ロックブロックの上端と当接している頂圧バネが固定的に連結され、前記ロックブロックの左右両端面の中には開口が反対になる引っ掛かり溝が対称的に設置され、前記反転ロッドの下端には前記引っ掛かり溝の中までスライドできる引っ掛かりブロックが固定的に連結され、前記ロックブロックの下端が外部空間まで伸びて且つ前記ロックブロックの下端には折れ防止ロッドが固定的に設置されていることができる。
【０００６】
更のプランとしては、前記反転ブロックのうち前記中間ブロックに近接している一端には開口が相対している反転チャンバが前後に貫通するように設置され、前記中間ブロックの左右両側には前記反転チャンバの上下壁と回転できるように連結されている固定ブロックが対称的に固定的に設置され、前記固定ブロックの中には回転ロッドが上下に貫通するように固定的に設置され、前記反転チャンバの上側には糸巻きチャンバが設置され、前記回転ロッドの上端が前記糸巻きチャンバの中まで伸びて且つ前記回転ロッドの上端には引き糸が巻き掛けられ、前記反転ブロックの下端面の中には下方へ開口した引っ掛かりロッドチャンバが設置され、前記折れ防止ロッドの左右両端には前記引っ掛かりロッドチャンバの内壁とスライドできるように連結されている引っ掛かりロッドが対称的に固定的に設置されている。
【０００７】
更のプランとしては、前記リムのうち中心から離れている一端にはＬ型ブロックが固定的に設置され、前記糸巻きチャンバのうち中心から離れている側には前記リムと前記Ｌ型ブロックとを通す第一連通糸孔が連通するように設置され、前記Ｌ型ブロックの後端にはコンロッドが反転できるように設置され、前記コンロッドの中には前記第一連通糸孔と対応して後方へ開口した第二連通糸孔が設置され、前記引き糸は前記第一連通糸孔と前記第二連通糸孔とを通して前記第二折れ防止装置と連結しており、前記テンプルが前記コンロッドの後端に回転できるように連結されている。
【０００８】
更のプランとしては、前記第二折れ防止装置は前記第二連通糸孔の上下両側の後端に対称的に且つ連通するように設置されて開口が反対になるスライダチャンバを含み、前記第二連通糸孔の中には上下両端が前記スライダチャンバを通しているスライダがスライドできるように設置され、前記スライダが前記引き糸と固定的に連結され、前記スライダの後端と前記第二連通糸孔の後壁との間には引っ張りバネが固定的に連結され、前記コンロッドと前記テンプルの外側にはそれぞれ折れ防止リングがスライドできるように設置され、前記スライダが前記折れ防止リングの内環壁に固定的に連結され、前記折れ防止リングは前記テンプルの外側に被せられて前記テンプルの反転を防止し、普段の使用に影響を与えることを防止する。
【発明の効果】
【０００９】
本発明の有益的な効果は：本発明は構造が簡単で、操作が便利であり、本装置によりメガネが曲げ力を受ける時に部品の壊れを通じてメガネの壊れを代えることができ、また修理が簡単で、便利である。
【図面の簡単な説明】
【００１０】
【図１】図１は本発明の折れ防止メガネの内部の全体構成模式図
【図２】図２は図１の「Ａ」の拡大模式図
【図３】図３は図１の「Ｂ〜Ｂ」の構成模式図
【図４】図４は図３の「Ｃ〜Ｃ」の構成模式図
【図５】図５は図３の「Ｄ」の拡大模式図
【発明を実施するための形態】
【００１１】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１２】
図１〜５を参照し、本発明の折れ防止メガネは：左右対称的に設置されているリム１１を含み、前記リム１１の中にはレンズ１２が固定的に設置され、前記リム１１の間には第一折れ防止装置１０１が設置され、前記リム１１のうち中心から離れている側には第二折れ防止装置１０２が設置され、前記第一折れ防止装置１０１はブリッジが曲がり過ぎた後折れてしまうことを防止でき、前記第二折れ防止装置１０２はテンプル１３が曲がり過ぎた後折れてしまうことを防止でき、これによりフレームの壊れを防止し、前記第一折れ防止装置１０１は前記リム１１のうち互いに近接している一端に固定的に設置されている反転ブロック１４を含み、前記反転ブロック１４の間には中間ブロック１５が設置され、前記中間ブロック１５の中には上方へ開口したスライドロッドチャンバ１６が設置され、前記スライドロッドチャンバ１６の中にはスライドロッド１７がスライドできるように設置され、前記スライドロッドチャンバ１６の下側にはロックチャンバ１８が連通するように設置され、前記スライドロッド１７の下端が前記ロックチャンバ１８の中まで伸びて且つ前記スライドロッド１７の下端の左右の両端面の中にはラック１９が設置され、前記スライドロッド１７の左右両側には前記ラック１９と噛み合うことができるギヤ２０が設置され、前記ギヤ２０が前記ロックチャンバ１８の前後側内壁の間に回転できるように連結され、前記ギヤ２０の前端には反転ロッド２１が固定的に連結され、前記反転ロッド２１の左右両側面のうち中心から離れている側面と前記ロックチャンバ１８の左右内壁の間には反転バネ２２が固定的に連結され、前記ロックチャンバ１８の下側には下方へ開口した開口チャンバ２４が連通するように設置され、前記開口チャンバ２４の中にはロックブロック２５がスライドできるように設置され、前記スライドロッド１７の下端には前記ロックブロック２５の上端と当接している頂圧バネ２３が固定的に連結され、前記ロックブロック２５の左右両端面の中には開口が反対になる引っ掛かり溝２６が対称的に設置され、前記反転ロッド２１の下端には前記引っ掛かり溝２６の中までスライドできる引っ掛かりブロック２７が固定的に連結され、前記ロックブロック２５の下端が外部空間まで伸びて且つ前記ロックブロック２５の下端には折れ防止ロッド３３が固定的に設置されていることができる。
【００１３】
有益的には、前記反転ブロック１４のうち前記中間ブロック１５に近接している一端には開口が相対している反転チャンバ２８が前後に貫通するように設置され、前記中間ブロック１５の左右両側には前記反転チャンバ２８の上下壁と回転できるように連結されている固定ブロック２９が対称的に固定的に設置され、前記固定ブロック２９の中には回転ロッド３０が上下に貫通するように固定的に設置され、前記反転チャンバ２８の上側には糸巻きチャンバ３１が設置され、前記回転ロッド３０の上端が前記糸巻きチャンバ３１の中まで伸びて且つ前記回転ロッド３０の上端には引き糸３２が巻き掛けられ、前記反転ブロック１４の下端面の中には下方へ開口した引っ掛かりロッドチャンバ３４が設置され、前記折れ防止ロッド３３の左右両端には前記引っ掛かりロッドチャンバ３４の内壁とスライドできるように連結されている引っ掛かりロッド３５が対称的に固定的に設置されている。
【００１４】
有益的には、前記リム１１のうち中心から離れている一端にはＬ型ブロック３６が固定的に設置され、前記糸巻きチャンバ３１のうち中心から離れている側には前記リム１１と前記Ｌ型ブロック３６とを通す第一連通糸孔３７が連通するように設置され、前記Ｌ型ブロック３６の後端にはコンロッド３８が反転できるように設置され、前記コンロッド３８の中には前記第一連通糸孔３７と対応して後方へ開口した第二連通糸孔３９が設置され、前記引き糸３２は前記第一連通糸孔３７と前記第二連通糸孔３９とを通して前記第二折れ防止装置１０２と連結しており、前記テンプル１３が前記コンロッド３８の後端に回転できるように連結されている。
【００１５】
有益的には、前記第二折れ防止装置１０２は前記第二連通糸孔３９の上下両側の後端に対称的に且つ連通するように設置されて開口が反対になるスライダチャンバ４０を含み、前記第二連通糸孔３９の中には上下両端が前記スライダチャンバ４０を通しているスライダ４１がスライドできるように設置され、前記スライダ４１が前記引き糸３２と固定的に連結され、前記スライダ４１の後端と前記第二連通糸孔３９の後壁との間には引っ張りバネ４２が固定的に連結され、前記コンロッド３８と前記テンプル１３の外側にはそれぞれ折れ防止リング４３がスライドできるように設置され、前記スライダ４１が前記折れ防止リング４３の内環壁に固定的に連結され、前記折れ防止リング４３は前記テンプル１３の外側に被せられて前記テンプル１３の反転を防止し、普段の使用に影響を与えることを防止する。
【００１６】
初期状態において、反転ブロック１４と中間ブロック１５とは同じ直線に位置しており、折れ防止リング４３の後端はテンプル１３の外側に被せられている。
【００１７】
メガネは力を受けて曲がる時、折れ防止ロッド３３が力を受けて曲げ力を超えるまで曲がった後折れてしまい、反転ブロック１４と中間ブロック１５とが反転し、この時固定ブロック２９が回転ロッド３０を連動させて回転させて且つ引き糸３２を引き締め、引き糸３２はスライダ４１を前方へ引き動かして且つ前記折れ防止リング４３を連動させて前方へ移動させ、この時折れ防止リング４３はテンプル１３の外側から滑り出し、テンプル１３が曲げ力を受けると折り畳むことができ、修理するとき、針形物によりスライドロッドチャンバ１６の中に入ってスライドロッド１７を下方へ押し、ラック１９とギヤ２０とが噛み合ってからギヤ２０を連動させて回転させて且つ反転ロッド２１の下端を中心から離れている方向へ連動させて反転させ、この時引っ掛かりブロック２７は引っ掛かり溝２６から反転し出し、ロックブロック２５と折れた折れ防止ロッド３３とは頂圧バネ２３により弾きだされ、同時に引っ掛かりロッドチャンバ３４の中に残っている引っ掛かりロッド３５を取り出し、反転ブロック１４と中間ブロック１５とを初期状態に反転させて、新しい折れ防止ロッド３３を取り出し、ロックブロック２５を開口チャンバ２４に合わせて且つロックし、引っ掛かりロッド３５を引っ掛かりロッドチャンバ３４に合わせて反転ブロック１４を固定させる。
【００１８】
本発明の有益的な効果は：本発明は構造が簡単で、操作が便利であり、本装置によりメガネが曲げ力を受ける時に部品の壊れを通じてメガネの壊れを代えることができ、また修理が簡単で、便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
左右対称的に設置されているリムを含み、前記リムの中にはレンズが固定的に設置され、前記リムの間には第一折れ防止装置が設置され、前記リムのうち中心から離れている側には第二折れ防止装置が設置され、前記第一折れ防止装置はブリッジが曲がり過ぎた後折れてしまうことを防止でき、前記第二折れ防止装置はテンプルが曲がり過ぎた後折れてしまうことを防止でき、これによりフレームの壊れを防止し、前記第一折れ防止装置は前記リムのうち互いに近接している一端に固定的に設置されている反転ブロックを含み、前記反転ブロックの間には中間ブロックが設置され、前記中間ブロックの中には上方へ開口したスライドロッドチャンバが設置され、前記スライドロッドチャンバの中にはスライドロッドがスライドできるように設置され、前記スライドロッドチャンバの下側にはロックチャンバが連通するように設置され、前記スライドロッドの下端が前記ロックチャンバの中まで伸びて且つ前記スライドロッドの下端の左右の両端面の中にはラックが設置され、前記スライドロッドの左右両側には前記ラックと噛み合うことができるギヤが設置され、前記ギヤが前記ロックチャンバの前後側内壁の間に回転できるように連結され、前記ギヤの前端には反転ロッドが固定的に連結され、前記反転ロッドの左右両側面のうち中心から離れている側面と前記ロックチャンバの左右内壁の間には反転バネが固定的に連結され、前記ロックチャンバの下側には下方へ開口した開口チャンバが連通するように設置され、前記開口チャンバの中にはロックブロックがスライドできるように設置され、前記スライドロッドの下端には前記ロックブロックの上端と当接している頂圧バネが固定的に連結され、前記ロックブロックの左右両端面の中には開口が反対になる引っ掛かり溝が対称的に設置され、前記反転ロッドの下端には前記引っ掛かり溝の中までスライドできる引っ掛かりブロックが固定的に連結され、前記ロックブロックの下端が外部空間まで伸びて且つ前記ロックブロックの下端には折れ防止ロッドが固定的に設置されており、
前記反転ブロックのうち前記中間ブロックに近接している一端には開口が相対している反転チャンバが前後に貫通するように設置され、前記中間ブロックの左右両側には前記反転チャンバの上下壁と回転できるように連結されている固定ブロックが対称的に固定的に設置され、前記固定ブロックの中には回転ロッドが上下に貫通するように固定的に設置され、前記反転チャンバの上側には糸巻きチャンバが設置され、前記回転ロッドの上端が前記糸巻きチャンバの中まで伸びて且つ前記回転ロッドの上端には引き糸が巻き掛けられ、前記反転ブロックの下端面の中には下方へ開口した引っ掛かりロッドチャンバが設置され、前記折れ防止ロッドの左右両端には前記引っ掛かりロッドチャンバの内壁とスライドできるように連結されている引っ掛かりロッドが対称的に固定的に設置されており、
前記リムのうち中心から離れている一端にはＬ型ブロックが固定的に設置され、前記糸巻きチャンバのうち中心から離れている側には前記リムと前記Ｌ型ブロックとを通す第一連通糸孔が連通するように設置され、前記Ｌ型ブロックの後端にはコンロッドが反転できるように設置され、前記コンロッドの中には前記第一連通糸孔と対応して後方へ開口した第二連通糸孔が設置され、前記引き糸は前記第一連通糸孔と前記第二連通糸孔とを通して前記第二折れ防止装置と連結しており、前記テンプルが前記コンロッドの後端に回転できるように連結されており、
前記第二折れ防止装置は前記第二連通糸孔の上下両側の後端に対称的に且つ連通するように設置されて開口が反対になるスライダチャンバを含み、前記第二連通糸孔の中には上下両端が前記スライダチャンバを通しているスライダがスライドできるように設置され、前記スライダが前記引き糸と固定的に連結され、前記スライダの後端と前記第二連通糸孔の後壁との間には引っ張りバネが固定的に連結され、前記コンロッドと前記テンプルの外側にはそれぞれ折れ防止リングがスライドできるように設置され、前記スライダが前記折れ防止リングの内環壁に固定的に連結され、前記折れ防止リングは前記テンプルの外側に被せられて前記テンプルの反転を防止し、普段の使用に影響を与えることを防止することを特徴とする折れ防止メガネ。